(57)【特許請求の範囲】
【請求項１】
壁パネルの一部に開口を設け、該開口から室外側へ突出する突出部を有する浴室ユニットであって、前記突出部は、
前記開口の下方に位置する前記壁パネルの裏面に固定されるベース部と前記ベース部から前記浴室外部側に延出する奥行き長さを調整可能なアーム部とを有する複数の下部支持材と、
前記複数の下部支持材を連結するように、且つ前記アーム部の奥行き方向における任意位置に取り付け可能な連結材と、
前記開口よりも室外側であって前記壁パネルと平行に配置されたバックパネルと、
前記開口の周縁と前記バックパネルの周縁との間を閉塞し、奥行き長さを調整可能な枠体と、を有する持出し部を備え、
前記連結材の上面に前記枠体の下枠を構成する下枠部が設置されており、
前記下枠部は、室外側から室内側に向かって下降傾斜する水勾配が形成されており、
前記アーム部における前記連結材の取付け部は、前記下枠部の水勾配と同じ勾配が形成されていることを特徴とする浴室ユニットの壁構造。
【発明の詳細な説明】
【技術分野】
【０００１】
本発明は、浴室ユニットの壁構造に係り、特に床パン又は浴槽外縁から立設された壁パネルから外部へ突出する突出部分の壁構造に関する。
【背景技術】
【０００２】
現在一般家庭の浴室として広く用いられているユニットバスにおいては、その大きさは、床面を形成する防水パンの大きさでほぼ決定される。
【０００３】
しかしながら、防水パンはＦＲＰ等を用いて製作されるので、種類は限られる。そのためユニットバスの壁パネルとその裏面に位置する建築壁との間に大きな間隙が生じることがある。
【０００４】
特に、梁が垂下している、逆梁が立ち上がっている、或いは柱が出っ張っている等の障害物があると、それとの干渉を回避するために、一回り小さい防水パンを選択しなければならなくなり、この間隙はさらに大きくなってしまう。
【０００５】
従来、防水パンより外側に突出部分を設けて、この無駄な空間を減らし、少しでも浴室空間を広く利用しようとすることが種々検討されている。
【０００６】
しかしながら、それらの中では、予め間隙の大きさ等が分かっていて浴室設計時に寸法が決定されている場合にしか採用できないものがある。すなわち、浴室リモデルの場合は、既存浴室を解体しないと詳細な間隙寸法が分からない場合が多く、十分に対応できないものが多い（例えば、特許文献１参照。）。
【０００７】
また、浴室と建物躯体との間に隙間がある場合に、この隙間に面した浴室の壁を開口し、ここにニッチパネルを設置して浴室内を広く並びに小物を置くスペースを確保する案が提案されている。ここで、ニッチパネルを内と外の二部材で構成し、この二部材をスライドさせて奥行き量を調整自在に構成すれば、新築時のみならず、リフォーム時にもある程度対応することができる（例えば、特許文献２参照。）。
【０００８】
しかしながら、奥行きが調整可能であっても、幅や高さが不変では、取り付けられる場合も限られる。また、二部材間の水仕舞いにも不安が残る。
【０００９】
さらに、この突出部分の構造として、床パンの周囲に立設した壁パネルのうち、上記床パンの少なくとも一辺の壁パネルを上壁パネルと下壁パネルに分割し、床パンに立設した下壁パネルの外側面に沿わせて装着した支持部材を外側方向に突設し、略水平面に形成した上記支持部材の上面に下壁パネルの上端から外側方向に且つ略水平方向に突設した突出部材を載置し、上記突出部材の外側端に上壁パネルを立設してなる突出部を備えたユニットルームにおいて、上記支持部材が下壁パネルの外側面に沿わせた縦片と、上記縦片の上端に連結すると共に外側方向に且つ略水平方向に延伸した横片とを有し、横片の内側端には縦片の連結部分より内側方向に突出した上面載置部を設け、上記上面載置部の下面を下壁パネルの上端に沿わせてねじ具を介して螺着すると共に縦片を下壁パネルの外側面にねじ具を介して螺着するものが提案されている（例えば、特許文献３参照。）。この構造によれば、下壁パネルへ強固に装着した支持部材によって突出部材を安定支持してなる突出部を備えることが可能となる。
【００１０】
しかしながら、この構造によっても、奥行きや高さを現場で合わせることはできても、この突出部材を取り付けられる位置が壁パネルの四周に裏打ちされたフレームに限られるので、幅方向の大きさは、壁パネルの幅単位でしか調整できず、上述の柱との干渉を回避する場合の自由度は高くない。
【００１１】
また、支持部材は、下壁パネルのフレームに対し、上方及び外方からねじ止めされるが、外方からのねじ止めは、壁パネルと建築壁との間の距離によっては工具が入らず、作業に困難を伴うことがある。
【特許文献１】特開昭５９−１１１７２７号公報
【特許文献２】特開平１１−６２２８６号公報
【特許文献３】特開２００２−２５０１４１号公報
【発明の開示】
【発明が解決しようとする課題】
【００１２】
ところで、古い建物のリモデルに際しては、図面が残っておらず、既存の浴室を壊して初めてデッドスペースの存在自体やその大きさが分かることが多い。そして、そのデッドスペースを最大限有効に利用したいと考える。
【００１３】
このような場合、その大きさを測ってから部材の手配をかけていたのでは、納品待ちとなって工期が長引き、業者にとっても発注者にとっても不都合となり、採用するを得ない。
【００１４】
本発明は、上述した事情を考慮してなされたもので、浴室ユニット据付現場に生じるデッドスペースに対応して、任意の位置に任意の大きさの突出部を設けることができる浴室ユニットの壁構造を提供することを目的とするものである。
【００１５】
本発明の他の目的は、浴室ユニット据付前にデッドスペースの大きさが分からなくても、浴室ユニット据付時に、突出部の位置及び大きさを調整して取り付け可能な浴室ユニットの壁構造を提供することにある。
【課題を解決するための手段】
【００１６】
本発明に係る浴室ユニットの壁構造は、上述した課題を解決するために、請求項１に記載したように、壁パネルの一部に開口を設け、該開口から室外側へ突出する突出部を有する浴室ユニットであって、前記突出部は、前記開口の下方に位置する前記壁パネルの裏面に固定されるベース部と前記ベース部から前記浴室外部側に延出する奥行き長さを調整可能なアーム部とを有する複数の下部支持材と、前記複数の下部支持材を連結するように、且つ前記アーム部の奥行き方向における任意位置に取り付け可能な連結材と、前記開口よりも室外側であって前記壁パネルと平行に配置されたバックパネルと、前記開口の周縁と前記バックパネルの周縁との間を閉塞し、奥行き長さを調整可能な枠体と、を有する持出し部を備え、前記連結材の上面に前記枠体の下枠を構成する下枠部が設置されており、前記下枠部は、室外側から室内側に向かって下降傾斜する水勾配が形成されており、前記アーム部における前記連結材の取付け部は、前記下枠部の水勾配と同じ勾配が形成されているものである。
【発明の効果】
【００１８】
本発明に係る浴室ユニットの壁構造によれば、浴室ユニット据付現場に生じるデッドスペースに対応して、任意の位置に任意の大きさの突出部を設けることができる。
【００１９】
また本発明は、浴室ユニット据付前にデッドスペースの大きさが分からなくても、浴室ユニット据付時に、突出部の位置及び大きさを調整して取り付けることができる効果が得られる。
【発明を実施するための最良の形態】
【００２０】
本発明に係る浴室ユニットの壁構造の一実施形態について、添付図面を参照して説明する。図１は、本発明に係る壁構造を備える浴室ユニット１の実施形態の全体的な概要を示す斜視図である。
【００２１】
浴室ユニット１は、同図に示すように、洗い場の床及び浴槽６載置部を構成する防水パン２と、建築壁とは離隔した壁面を構成する壁パネル３と、この壁パネル３上に載置される天井パネル４、及び使用者が出入りできるドア（図示せず）とにより、閉じられた浴室空間が形成される。
【００２２】
防水パン２は、ＦＲＰ等の樹脂材を用いて一体に形成され、或いはサイズが大きい場合には、設置時の搬入性を考慮し、２つ又はそれ以上に分割して形成されたものが据付現場において漏水しないよう一体に組み立てられる。
【００２３】
壁パネル３は、樹脂シートにより表面が化粧された鋼板に石膏ボード等が裏打ちされて自立可能に形成され、防水パン２上の外周隅部及び一定の間隔を置いて立設された支柱（図示せず）間に掛け渡されて装着される。
【００２４】
天井パネル４は、樹脂シートにより表面が化粧された鋼板に石膏ボード等が裏打ちされて形成され、接続するフレーム（図示せず）を介して壁パネル３上に取り付けられる。なお、壁パネル３と天井パネル４との取合い部分は、飾り縁５によって掩蔽される。
【００２５】
こうして形成された浴室空間内に、種々の給排水設備が設けられる。すなわち、防水パン２の一端には浴槽６が設置され、その洗い場側の側面はバスエプロン７により閉塞される。浴槽短手の一端の上部には浴槽水栓８が取り付けられる一方、洗い場側には、洗い場カウンタ９を介して洗い場水栓１０が取設される。この洗い場水栓１０からは、シャワー１１が分岐する。そして、浴槽６と洗い場との境界近傍には、洗い場及び浴槽６からの排水を集めて外部に排水する排水トラップ（図示せず）がある。
【００２６】
この浴室ユニット１は、鏡１２やシャンプーボトル等を置くための棚１３、タオル掛け１４等の備品を備える他、浴槽６の長手方向壁パネル３側には、防水パン２の外縁に立設された壁パネル３より、浴室ユニット１の外部側へ突出した突出部として、本願発明に係る持出し部２０が形成される。この持出し部２０は、限られた空間の浴室を拡張することにより開放感が得られるとともに、浴室で使用する小物類の置き場として、或いは入浴中の風呂蓋置き場として使用できる。
【００２７】
この突出部として、浴室ユニット１内部からは、壁パネル３に設けられた開口ＯＰと、この開口ＯＰより奥まったところに、開口ＯＰの周囲に残された壁パネル３と平行に配置され、開口ＯＰと略同大同形状を有するバックパネル２１と、開口ＯＰの周縁とバックパネル２１の周縁との間に架設され、持出し部２０の側面を閉塞する枠２２と、この枠２２とバックパネル２１との接続部全周に取り付けられ、枠２２とバックパネル２１とを接続する接続フレーム２３とが見える。
【００２８】
開口ＯＰは、下端は浴槽６天端より若干高いところに、上端は天井より若干低いところに位置する。浴槽水栓８側の側端は壁パネル３の入り隅部から後退したところに位置するのに対し、反対側の側端は入り隅部近くまで進出している。
【００２９】
図２（ａ）に、図１に示された浴室ユニット１の持出し部２０を含む縦断面図、同図（ｂ）に同横断面図を示す。図２（ａ）に示すように、浴室ユニット１が据え付けられるエリアの建築壁から建築壁までの長さはＬ０あるにも拘わらず、逆梁ＲＢが建築床から立ち上がって長さＬ２を占拠するため、防水パン２の設置エリアの長さとしてＬ１しか考慮することができず、防水パン２外縁から壁パネル３を立設するのみでは、長さ略Ｌ２のデッドスペースが生じる。そこで、持出し部２０を設ければ、このデッドスペースを解消することができる。
【００３０】
一方、図２（ｂ）に示すように、浴室ユニット１が据え付けられるエリアの建築壁から建築壁までの幅はＷ０あるにも拘わらず、柱Ｃが建築壁から突出して幅Ｗ２を占拠するため、持出し部２０の幅として最大Ｗ１しか使えない。すなわち、浴室ユニット１の全幅と同じ幅の持出し部２０を形成することはできない。この場合、壁パネルの四周に裏打ちされたフレームに突出部材を取り付けるタイプのものでは、壁パネル１枚分、浴室ユニットの半分の幅の突出部しか形成できず、なおデッドスペースが残ってしまうが、本願発明に係る浴室ユニットの壁構造によれば、ユニット組立の段階で、任意の位置に任意の大きさの持出し部２０を形成することが可能であり、生じ得るデッドスペースを略極限まで有効利用することができる。
【００３１】
本発明に係る持出し部２０は、図２（ａ）（ｂ）及び図３に示すように、バックパネル２１、枠２２、接続フレーム２３の他、下支持材２４、連結材２６を備える。また、本実施形態においてはさらに、下バックパネル保持材２５、上支持材２７、上バックパネル保持材２８が加えられている。
【００３２】
バックパネル２１は、壁パネル３と同材が、現場で必要な大きさに切断されて形成される。意匠性の観点から、壁パネル３と異なる色のものを用いてもよいし、一定以上の強度を有すれば、別材で形成することも可能である。
【００３３】
枠２２は、４枚の樹脂製の板を、浴室ユニット１側及びバックパネル２１側が開口した枠体に組み合わせたものであり、持出し部２０の側面を形成する本体２２ａと、この本体２２ａが折曲されて開口ＯＰの周縁部に係止する見付け部２２ｂとを有し、更に、本体２２ａ裏面には、嵌合凹部２２ｃが長さ方向全長に亘って突設され、この嵌合凹部２２ｃの側端において隣接する樹脂製の板とねじ３０を用いてねじ止めされる（図４参照。）。
【００３４】
下支持材２４は、ブラケット状の形状をし、その役目もまた、自重を含む持出し部２０にかかる荷重を受けるブラケットの役目を果たすものである。持出し部２０は、風呂蓋が載置されたり、入浴者が腕をかけたりするものであるため、ある程度の荷重に耐えるものでなければならないが、この荷重を支えるには枠２２に相当の厚さや強度を持たせる必要があり、不経済である。この下支持材２４を採用することにより、枠２２の厚さを増すことなく持出し部２０にかかる荷重を支持することが可能となる。したがって、少なくとも２個の下支持材２４が取り付けられる。
【００３５】
下支持材２４は、亜鉛メッキ鋼板等からなり、開口ＯＰの下に位置する壁パネル３の裏面に当接するベース部２４ａと、ベース部上端近傍から、浴室ユニット１の外部側へ略水平に延出しバックパネル２１の荷重を受けるアーム部２４ｂと、ベース部２４ａ及びアーム部２４ｂの両者に直交して配置されアーム部２４ｂの撓みを防止する補強部２４ｃとからなり、ベース部２４ａ上端には、下支持材２４を開口ＯＰ下に位置する壁パネル３の小口に掛止するフック部２４ｄを備える。
【００３６】
アーム部２４ｂには、例えば１０ｍｍピッチで多数のネジ下孔２４ｅが２列穿設され、後述する下バックパネル保持材２５の位置決めを容易にしている。下支持材２４は、厚さ１．２ｍｍ程度の鋼板製であれば、比較的容易に切断することができ、浴室ユニット１据付現場において、デッドスペースに合わせて、アーム部２４ｂを所用の長さに切断することができる。また、逆梁等の梁背が高い場合は、ベース部２４ａを切断して取り付けることも可能である。
【００３７】
また、アーム部２４ｂには、ベース部２４ａから遠い方の端部から近い方の端部へと下る水勾配が設けられている。枠２２の下側の部材には、水溜まりができないように、バックパネル２１から壁パネル３側へ水勾配が設けられるが、下地材となるアーム部２４ｂにも水勾配を設けておけば、枠２２の下側の部材に水勾配を設けることが容易になる。
【００３８】
フック部２４ｄには、そのベース部２４ａ上に位置する側面には２箇所ばか孔２４ｇが、そこから壁パネル３上に載る頂部を経由して壁パネル３表面側に延出したもう一方の側面には２箇所ねじ下孔２４ｆが穿設される。これらのねじ孔２４ｆ，２４ｇにねじ３３を、浴室ユニット１内側から連通螺挿することにより下支持材２４は開口ＯＰ下の壁パネル３に固定される。
【００３９】
このように、下支持材２４は、開口ＯＰ下に位置する壁パネル３の小口にフック部２４ｄを掛止することにより取り付けられるので、開口ＯＰのどの位置にも取り付けられ、作業もし易いという効果がある。また、ねじ止め作業は、浴室ユニット内から行うことが可能となるので、狭い壁パネル３裏側で行う場合に比べて作業性が格段に向上する。さらに、ねじ３３を表面側ねじ孔及び裏面側ねじ孔両者に貫通させることにより、壁パネル３が挟み込まれてフック部２４ｄとの間に遊びがなくなり、固定強度が高くなる。
【００４０】
なお、ベース部２４ａの壁パネル３に当接する面には、壁パネル３裏面の裏打ち材を傷付けないように、緩衝材が貼付されている。
【００４１】
下バックパネル保持材２５は、１枚の亜鉛メッキ鋼板等が折曲されて、下支持材２４のアーム部２４ｂ上に固定される基部２５ａと、基部２５ａが９０度折曲され上方に起立し、バックパネル２１の裏面に当接する裏面保持部２５ｂと、基部２５ａの３分割された先端の中央部が折曲され上方に起立し、バックパネル２１の正面に当接する正面保持部２５ｃとからなる。
【００４２】
基部２５ａには、ばか孔２５ｄが穿設され、このばか孔２５ｄとアーム部２４ｂの所定のねじ下孔２４ｅとをねじ３１により連通螺挿して、下バックパネル保持材２５は、下支持材２４のアーム部２４ｂの任意の位置に固定される。そして、裏面保持部２５ｂと正面保持材２５ｃとの間にバックパネル２１の下端が嵌挿される。このように、下バックパネル保持材２５は、バックパネル２１の位置決めの役目も果たす。
【００４３】
連結材２６は、亜鉛メッキ鋼板等が、短手方向の断面がハット型に折曲形成される。ここで、連結材２６の厚さが１．２ｍｍ程度であれば、据付現場において容易に切断することができるので、デッドスペースに合わせて、その長さを持出し部２０未満に調節することができる。
【００４４】
連結材２６の両側の底部２６ａにはねじ孔２６ｂが、アーム部２４ｂに穿設されたねじ孔２４ｅの２列間と同じ間隔で穿設される。そして、ねじ孔２６ｂとアーム部２４ｂの所定のねじ下孔２４ｅとをねじ３２により連通螺挿して、連結材２６は、少なくとも２個の下支持材２４のアーム部２４ｂ上にねじ止めされて、これら少なくとも２個の下支持材２４を剛に連結し、下支持材２４が左右に捩れることを防止する。アーム部２４ｂに穿設されたねじ下孔２４ｅを使用するので、少なくとも２個の支持材２４を平行に取り付けることも容易となる。
【００４５】
また、少なくとも２個の下支持材２４は、例えば図５に示すように、連結材２６により連結されることにより、そのレベルも揃えられる。壁パネル３に設けられる開口ＯＰは、浴室ユニット１据付現場において、現場で測ったデッドスペースの大きさに基づいて切断されるので、その切り口は必ずしも直線を保つとは限らず、ある程度の誤差をもって曲がる可能性がある。このような場合、下支持材２４をそれぞれの位置でねじ３３によりねじ止めすれば、下支持材２４のレベルが異なって、枠２２が傾いたり、がたついたりする虞がある。しかしながら、下支持材２４のねじ止めに先立って、連結材２６により少なくとも２個の下支持材２４を連結すれば、レベルを合わせることができ、上述したような不具合を回避することができる。
【００４６】
連結材２６は、下支持材２４を連結するに際し、アーム部２４ｂ間で連結する場合のみならず、ベース部２４ａ間や補強部２４ｃ間で連結しても、同様の効果を得ることができる。しかしながら、アーム部２４ｂ間で水平に連結すれば、下支持材２４にかかる垂直荷重に対する補強にもなって有利である。
【００４７】
また、連結材２６は、上述した機能を発揮できるものであれば、ハット型断面を有していなくても、例えば、アングル状の断面のものであってもよい。ただし、ハット型を採用すれば、枠２２が、例えば厚さが大きくない等強度の高くない場合であっても、枠２２の下側部材をハット型の頂部に載置することにより、撓みを防止することができるというメリットがある。
【００４８】
上支持材２７は、細長い亜鉛メッキ鋼板等の本体２７ａと、その先端が折曲されて開口ＯＰの上に位置する壁パネル３の下端に掛止されるフック部２７ｂとからなる。また、本体２７ａには、下支持材２４のアーム部２４ｂ同様、上バックパネル保持材２８の位置決めを容易にすべく、例えば１０ｍｍピッチで多数のネジ下孔２７ｃが２列穿設されている。
【００４９】
フック部２７ｂは、壁パネル３端部に掛止しねじ止めされるのに必要最小限の高さに抑えられているので、壁パネル３の上部においても、必要最小限の壁パネル３が残っていれば取り付けられ、デッドスペースを略極限まで有効利用することができる。また、フック部２７ｂには、下支持材２４のフック部２４ｄと同様、浴室ユニット１に面する表面側の側面には２箇所のばか孔２７ｄが、裏面側の側面には２箇所のねじ下孔２７ｅが穿設される。
【００５０】
上バックパネル保持材２８は、亜鉛メッキ鋼板等が折曲されてＬ型に形成された２枚のアングル部材２８ａ，２８ｂが、一方の面が当接し、他方の面は離隔して結合されて形成される。この２枚のアングル部材２８ａ，２８ｂの互いに当接する面にはばか孔２８ｃが穿設され、このばか孔２８ｃと本体２７ａの所定のねじ孔下２７ｃとをねじ３４により連通螺挿して、上バックパネル保持材２８は、上支持材２７の本体２７ａ下方の任意の位置に固定される。
【００５１】
そして、２枚のアングル部材２８ａ，２８ｂの離隔した面の間にバックパネル２１の上端が嵌挿される。下端が下バックパネル保持材２５により保持され、上端が上バックパネル保持材２８により保持されることにより、バックパネル２１は仮固定され、補助なしで自立可能となる。このように、上支持材２７及び上バックパネル保持材２８は、バックパネル２１を仮固定するためのものであり、バックパネル２１は、後述するように、バックパネル２３に固定された接続フレーム２３を枠２２にねじ止めすることにより本固定される。
【００５２】
接続フレーム２３は、横断面が略アングル状のアルミ押出成形された棒材が、バックパネル２１の上下縁及び両側縁に各１本、それらが枠を形成するように取り付けられて形成される。
【００５３】
接続フレーム２３は、図６に示すように、バックパネル２１にねじ３５によりねじ止めされるバックパネル側部２３ａと、枠２２にねじ３６によりねじ止めされる枠側部２３ｂとが、後述するキャップ２９が係合する係合部２３ｃを介して、直交するように形成される。
【００５４】
バックパネル側部２３ａの両端には、バックパネル側部２３ａ裏面とバックパネル２１表面との間にパッキン４０を挟装可能な空間を得られるように、突起が設けられる。同様に、枠側部２３ｂの両端にも、枠側部２３ａ裏面と枠２２表面との間にリング状のパッキン４１を挟装可能な空間を得られるように、突起が設けられる。このように、パッキン４０，４１を介装することにより、水密性が高められる。
【００５５】
本実施形態に係る持出し部２０はまた、図６に示すように、この接続フレーム２３を、水密に掩蔽するキャップ２９を備える。このキャップ２９は、硬質樹脂材が略コ字型に成形された本体２９ａの両側端に、軟質樹脂材からなるヒレ部２９ｂが取設されてなる。
【００５６】
キャップ２９は、接続フレーム２３の枠側部２３ｂの外端及び係合部２３ｃにシリコン・シーリングを施した後、本体２９ａの両側端をこれらに嵌合させて取り付けられる。このとき、ヒレ部２９ｂはバックパネル２１及び枠２２の表面に追従して当接するので、シリコン・シーリングに加えて水密性が高くなり、また、意匠性も向上する。
【００５７】
本実施の形態に係る浴室ユニットの壁構造は上記のように構成されており、以下その組立手順について、図７に示すフロー図を参照して説明する。
【００５８】
リモデルの場合まず、既存の浴室が解体されると、浴室ユニット１据付現場の寸法を測り、そこから、防水パン２の大きさやクリアランス等を勘案して、持出し部２０の幅、奥行き、高さ等の寸法詳細を決定する（ステップＳ１）。
【００５９】
そして、上記の寸法に従って、持出し部２０が設けられる位置の壁パネル３に開口ＯＰを形成する（ステップＳ２）。この開口ＯＰの形成は、壁パネル３の立設前に行っても、実際に所定の位置に立設された後に行ってもよい。
【００６０】
次に下支持材２４を奥行き寸法から得られた寸法に切断し、開口ＯＰ下の壁パネルに掛止し（ステップＳ３）、この下支持材２４に下バックパネル保持材２５を、下支持材２４端部に取り付ける（ステップＳ４）。この下バックパネル保持材２５の取付は、下支持材２４の壁パネル３への取付に先だって行うこともできる。
【００６１】
このように、少なくとも２個の下支持材２４が掛止されると、連結材２６をこれらの間に架設する（ステップＳ５）。ここで、下支持材２４を壁パネル３にねじ止めすることが可能となる。
【００６２】
同様に、上支持材２７及び上バックパネル保持材２８が取り付けられると（ステップＳ６，Ｓ７）、バックパネル２１を所定の寸法に切断して（ステップＳ８）、これに所定の長さに切断された接続フレームを取り付ける（ステップＳ９）。
【００６３】
こうして、バックパネル２１の取付準備ができると、浴室ユニット１の内部側から、バックパネル２１下端を下バックパネル保持材２５に保持させて位置決めし、次にバックパネル２１上端を上バックパネル保持材２７に保持させて仮固定させる（ステップＳ１０）。
【００６４】
続いて、枠２２を構成する、上下左右の部材を所定長さに切断した後、これらを組み立てて枠２２を形成し（ステップＳ１１）、これを、浴室ユニット１内部から開口ＯＰに挿入し、バックパネル２１に取り付けられた接続フレーム２３と枠２２の端部とをねじ３６によりねじ止めする（ステップＳ１２）。
【００６５】
最後に、この接続フレーム２３にキャップ２９を嵌合するとともに、キャップ２９がない接続部分（例えば枠２２の構成部材間）にシリコン・シーリングを行って（ステップＳ１３）、持出し部２０の取付けが完了する。
【００６６】
次に、本実施形態の変形例について、図を参照して説明する。本変形例に係る浴室ユニットの壁構造は、図８に示すように、下支持材２４下にこの下支持材２４にかかる荷重を建築側に伝達する支持脚５０を備える点で、本実施形態におけるものと基本的に相違し、他の構成は本実施形態と実質的に同じであり、同じ符号を付して説明を省略する。
【００６７】
支持脚５０は、支持脚本体５１と、長ボルト５２と、ロックナット５３とから構成され、支持脚本体５１は、角パイプ５１ｂの一端にプレート５１ａ、他端にナット５１ｃが溶接等により取設されて形成される。角パイプ５１ｂは、長ボルト５２が挿通可能であれば丸パイプでもよい。
【００６８】
プレート５１ａは、亜鉛メッキ鋼板等の小片で、下支持材２４のアーム部２４ｂ下面に当接し、アーム部２４ｂに穿設されたねじ下孔２４ｅのピッチ及び２列の間隔に合わせてねじ下孔が複数穿設され、ねじ３７により下支持材２４にねじ止めされる。ねじ下孔２４ｅのピッチ及び２列の間隔に合わせてねじ下孔が複数穿設しているので、下ねじを据付現場で設ける必要がなく、また、位置合わせが容易となる。
【００６９】
長ナット５２は、支持脚本体下端に溶接されたナット５１ｃに螺合され、これを上下に進退させて、支持脚５０全体の高さが予め現場で測定された高さに調節され、所定の高さが得られればロックナット５３をナット５１ｃ側に螺進させて長ナット５２をその高さに固定する。この支持脚５０の取付は、連結材２６の取付後、すなわち、図７に示すフロー図におけるステップＳ５の後に行われる。
【００７０】
このような支持脚５０は、図８に示すように、持出し部２０の下面位置が低い或いは逆梁ＲＢ天端が高い位置にある等から下支持材２４のベース部２４ａを切断しなければならずその長さを十分確保できない場合、又は持出し部２０の奥行きが大きい若しくは持出し部２０に重量のあるものを載置する等から支持材２４に大きな荷重が載荷される場合に、強度的に特に有効である。
【００７１】
以上に説明した実施態様は説明のためのものであり、本発明の範囲を制限するものではない。従って、当業者であればこれらの各要素もしくは全要素をこれと均等なものによって置換した実施態様を採用することが可能であるが、これらの実施態様も本発明の範囲に含まれる。
【００７２】
例えば、本実施形態においては、下支持材２４のアーム部２４ｂの長さ調節は、アーム部２４ｂを所定の長さに切断することにより行う場合を例にとって説明したが、アーム部２４ｂを、スライドする２部材で構成する等により伸縮自在なものとして形成してもよい。ベース部２４ａについても同様である。このように形成すれば、浴室ユニット据付現場において、支持材２４の切断作業を省くことができ、作業性を向上されることができる。
【図面の簡単な説明】
【００７３】
【図１】本発明に係る浴室ユニットの壁構造の一実施形態の全体概要を示す斜視図。
【図２】（ａ）は図１に示された浴室ユニットの持出し部を含む縦断面図、（ｂ）は同横断面図。
【図３】（ａ）は本実施形態に係る持出し部の縦断面図、（ｂ）は同横断面図。
【図４】本実施形態に係る壁構造の分解斜視図。
【図５】下支持材の開口への取付状態を示す図。
【図６】本実施形態に係る壁構造のバックパネルと枠との取合詳細図。
【図７】本実施形態に係る壁構造の組立手順を示すフロー図。
【図８】本実施形態に係る壁構造の一変形例を示す図。
【符号の説明】
【００７４】
１  浴室ユニット
２  防水パン
３  壁パネル
４  天井パネル
５  飾り縁
６  浴槽
７  バスエプロン
８  浴槽水栓
９  洗い場カウンタ
２０  持出し部
２１  バックパネル
２２  枠
２３  接続フレーム
２４  下支持材
２５  下バックパネル保持材
２６  連結材
２７  上支持材
２８  上バックパネル保持材
２９  キャップ
３０〜３６  ねじ
４０，４１  パッキン
５０  支持脚
５１  支持脚本体
５２  長ボルト
５３  ロックボルト
Ｃ  柱
ＯＰ  開口
ＲＢ  逆梁
【図１】
0004730003.tif 000002
【図２】
0004730003.tif 000003
【図３】
0004730003.tif 000004
【図４】
0004730003.tif 000005
【図５】
0004730003.tif 000006
【図６】
0004730003.tif 000007
【図７】
0004730003.tif 000008
【図８】
0004730003.tif 000009